(57)【要約】【課題】情報が提供されるユーザの利便性を向上する。【解決手段】情報提供装置４は、提供に係る情報を、当該情報の提供に用いる記録媒体６に書き込む書込部２２と、情報を提供する際に操作される操作部１５とを有する。書込部２２は、操作部１５が操作される前に、提供に係る情報を記録媒体６に予め書き込む。【選択図】図６
2012018636.tif 000002
【特許請求の範囲】
【請求項１】
提供に係る情報を、当該情報の提供に用いる記録媒体に書き込む書込部と、
前記情報を提供する際に操作される操作部と
を有し、
前記書込部は、
前記操作部が操作される前に、提供に係る前記情報を前記記録媒体に予め書き込む
情報提供装置。
【請求項２】
情報の提供に用いる複数の前記記録媒体を収容可能な収容部を有し、
前記収容部は、
使用済みの別の記録媒体を収容した場合に、前記情報が予め書き込まれた前記記録媒体を提供する
請求項１記載の情報提供装置。
【請求項３】
前記操作部に対する操作がなされた場合に、前記複数の記録媒体による情報の提供を制御する制御部を有し、
前記書込部は、
前記複数の記録媒体に異なる複数の情報を予め書き込み、
前記制御部は、
前記操作部の操作に基づいて、前記書込部が書き込んだ複数の情報から情報を選択し、
当該選択した情報が書き込まれた記録媒体を選択し、
当該選択した記録媒体を前記収容部から提供する
請求項２記載の情報提供装置。
【請求項４】
前記操作部に対する操作がなされた場合に、前記複数の記録媒体による情報の提供を制御する制御部を有し、
前記書込部は、
前記複数の記録媒体の各々に、複数の情報を予め書き込み、
前記制御部は、
前記操作部の操作に基づいて、前記書込部が書き込んだ複数の情報から情報を選択し、
当該選択した情報が書き込まれた記録媒体を選択し、
当該選択した記録媒体から選択されていない情報を削除し、
削除後の前記記録媒体を前記収容部から提供する
請求項２記載の情報提供装置。
【請求項５】
前記操作部に対する操作がなされた場合に、前記複数の記録媒体による情報の提供を制御する制御部を有し、
前記書込部は、
前記複数の記録媒体に、情報毎のライセンス情報が前記記録媒体に追加記録されることにより利用可能となる情報を予め書き込み、
前記制御部は、
前記操作部の操作に基づいて、前記書込部が書き込んだ複数の情報から情報を選択し、
当該選択した情報が書き込まれた記録媒体を選択し、
当該選択した記録媒体に、選択した情報のラインセンス情報を書き込み、
当該選択した記録媒体を前記収容部から提供する
請求項２記載の情報提供装置。
【請求項６】
提供に係る情報を取得する情報取得部を有し、
前記記録媒体は、再書込み可能であり、
前記情報取得部は、
当該情報提供装置の設置地域、時間帯、顧客情報、および販売状況の少なくとも１つの条件に応じて、繰り返し情報を取得し、
前記書込部は、
前記情報取得部により新たな情報が取得された場合、当該新たに取得された情報により前記記録媒体の情報を更新する
請求項１から５のいずれか一項記載の情報提供装置。
【請求項７】
前記記録媒体により情報が提供されるユーザが利用するユーザ端末と通信可能な通信部を有し、
前記書込部は、
前記通信部が情報提供の要求を受信した場合、前記操作部に対する操作がされていない状況において、前記記録媒体に、要求に係る情報を予め書き込む
請求項１から６のいずれか一項記載の情報提供装置。
【請求項８】
使用済みの前記別の記録媒体は、再書込み可能であり、
前記制御部は、
前記収容部に収容されている前記記録媒体に、選択した情報が予め書き込まれていない場合、交換により前記収容部に新たに収容された前記別の記録媒体に、当該情報を書き込み、
前記別の記録媒体を前記収容部から再提供する
請求項３から５のいずれか一項記載の情報提供装置。
【請求項９】
使用済みの前記別の記録媒体は、再書込み可能であり、
前記書込部は、
交換により前記収容部に新たに収容された前記別の記録媒体に、予め情報を書き込み、
前記別の記録媒体を含む複数の記録媒体により情報を提供する
請求項２記載の情報提供装置。
【請求項１０】
提供に係る情報を記録媒体に記録して提供する情報提供装置と、
前記情報提供装置と通信して、前記情報提供装置から提供する情報を前記情報提供装置へ送信する情報源装置と
を有し、
前記情報提供装置は、
提供に係る情報を、当該情報の提供に用いる記録媒体に書き込む書込部と、
前記情報を提供する際に操作される操作部と
を有し、
前記書込部は、
前記操作部が操作される前に、提供に係る前記情報を前記記録媒体に予め書き込む
情報提供システム。
【請求項１１】
提供に係る情報を、当該情報の提供に用いる記録媒体に書き込む書込部と、前記情報を提供する際に操作される操作部とを有する情報提供装置により情報を提供するために、
前記操作部が操作される前に、前記書込部が、提供に係る前記情報を前記記録媒体に予め書き込むステップと、
前記操作部が操作された場合に、前記情報が書き込まれた記録媒体を提供するステップと
を有する情報提供方法。
【発明の詳細な説明】
【技術分野】
【０００１】
本発明は、ユーザにより利用可能な情報を提供する情報提供装置、情報提供システム、情報提供方法に関する。
【背景技術】
【０００２】
近年、コンピュータシステムの発展により、あらゆるコンテンツ、情報が電子化されつつある。
たとえば映画、放送番組などは動画データとしてデジタルデータ化され、音楽なども音声データとしてデジタル化されている。
また、新聞、雑誌なども電子データ化されつつある。
【０００３】
そして、ユーザは、このようなコンテンツデータやコンピュータで利用するプログラムを入手するために、これらの電子データが記録されたＤＶＤ（Digital Versatile Disc）、ブルーレイディスクなどの記録媒体を購入している。または、ユーザは、これらの電子データをインターネットからダウンロードしている。
また、ユーザは、入手した記録媒体または電子データを、コンピュータ、再生装置、携帯機器などの装置で利用する（特許文献１）。
【先行技術文献】
【特許文献】
【０００４】
【特許文献１】特許第４３２０８４２号公報
【発明の概要】
【発明が解決しようとする課題】
【０００５】
しかしながら、ＤＶＤ、ブルーレイディスクなどの記録媒体を購入する場合、ユーザは、その記録媒体が販売されている店舗へわざわざ出向く必要がある。そして、所望の記録媒体が売り切れている場合もある。この場合、ユーザは、その店舗に発注し、記録媒体が届くまで待たなければならない。また、ユーザは、何度も店舗に足を運ばなくてはならない。
インターネットからの電子データのダウンロードは、記録媒体を店舗で購入する場合に比べて手軽である。しかしながら、手軽であると言っても、ユーザは、インターネット上での購入後に、電子データがダウンロードされることを待たなければならない。また、ダウンロードした電子データをユーザが使用する他の電子機器で利用する場合には、ユーザは、ダウンロードした電子データを記録媒体に書き込む必要がある。
そして、映画のタイトルなどは、コンテンツサイズが大きいため、膨大なデータ量の電子データとなる。この場合、電子データの書込みには、たとえば４０分から１時間程度の時間が必要になる。
【０００６】
このように情報が提供されるユーザの利便性を向上することが求められている。
【課題を解決するための手段】
【０００７】
本発明の第１の観点の情報提供装置は、提供に係る情報を、当該情報の提供に用いる記録媒体に書き込む書込部と、情報を提供する際に操作される操作部とを有する。そして、書込部は、操作部が操作される前に、提供に係る情報を記録媒体に予め書き込む。
【０００８】
第１の観点では、操作部が操作される前に、提供に係る情報が記録媒体に予め書き込まれる。
よって、ユーザは、操作部を操作して、所望の情報を記録媒体により受け取ることができる。
【０００９】
本発明の第２の観点の情報提供システムは、提供に係る情報を記録媒体に記録して提供する情報提供装置と、情報提供装置と通信して、情報提供装置から提供する情報を情報提供装置へ送信する情報源装置とを有する。情報提供装置は、提供に係る情報を、当該情報の提供に用いる記録媒体に書き込む書込部と、情報を提供する際に操作される操作部とを有する。そして、書込部は、操作部が操作される前に、提供に係る情報を記録媒体に予め書き込む。
【００１０】
本発明の第３の観点の情報提供方法は、提供に係る情報を、当該情報の提供に用いる記録媒体に書き込む書込部と、情報を提供する際に操作される操作部とを有する情報提供装置により情報を提供するために、操作部が操作される前に、書込部が、提供に係る情報を記録媒体に予め書き込むステップと、操作部が操作された場合に、情報が書き込まれた記録媒体を提供するステップとを有する。
【発明の効果】
【００１１】
本発明では、情報が提供されるユーザの利便性を向上することができる。
【図面の簡単な説明】
【００１２】
【図１】図１は、本発明の第１実施形態に係る情報提供システムの概略の全体構成図である。
【図２】図２は、図１のキオスク端末の外観の一例の説明図である。
【図３】図３は、図２のキオスク端末に内蔵される電子回路の説明図である。
【図４】図４は、コンテンツデータの更新処理の一例のフローチャートである。
【図５】図５は、コンテンツ販売処理の一例のフローチャートである。
【図６】図６は、図２のキオスク端末における販売処理の模式的な説明図である。
【図７】図７は、半導体メモリ交換後のデータ更新処理の一例のフローチャートである。
【図８】図８は、予約要求受信時のデータ更新処理の一例のフローチャートである。
【図９】図９は、本発明の第２実施形態の半導体メモリのデータ構造の一例の説明図である。
【図１０】図１０は、第２実施形態のコンテンツ販売処理の一例のフローチャートである。
【図１１】図１１は、第２実施形態のキオスク端末の販売処理の模式的な説明図である。
【図１２】図１２は、本発明の第３実施形態の半導体メモリのデータ構造の一例の説明図である。
【図１３】図１３は、第３実施形態のコンテンツ販売処理の一例のフローチャートである。
【図１４】図１４は、第３実施形態のキオスク端末の販売処理の模式的な説明図である。
【発明を実施するための形態】
【００１３】
以下、本発明の実施の形態を図面に関連付けて説明する。
説明は以下の順に行う。
１．第１実施形態（各半導体メモリに予めコンテンツデータを書き込む情報提供システム１の例。）
２．第２実施形態（予め書き込んだコンテンツデータを提供時に削除する情報提供システム１の例。）
３．第３実施形態（交換時にライセンスデータを書き込む情報提供システム１の例。）
【００１４】
＜１．第１実施形態＞
本発明の第１実施形態は、キオスク端末４において半導体メモリ６に予め書き込んだ動画などのコンテンツデータをユーザへ提供する情報提供システム１の例である。第１実施形態は、各半導体メモリ６にコンテンツデータを１つずつ書き込む例である。
【００１５】
［情報提供システム１の構成と全体的な動作］
図１は、第１実施形態に係る情報提供システム１の概略の全体構成を示す図である。
図１の情報提供システム１は、複数のコンテンツサーバ装置２、管理サーバ装置３、および複数のキオスク端末４が共通の通信ネットワーク５に接続されている。
具体的には、図１には、第１コンテンツサーバ装置２−１、第２コンテンツサーバ装置２−２、第１キオスク端末４−１から第ｎキオスク端末４−ｎが図示されている。
キオスク端末４には、ユーザへ情報を提供するために利用する半導体メモリ６を複数枚収容可能である。
また、図１には、通信ネットワーク５に接続され、ユーザが使用する携帯電話機７と無線通信する基地局８も図示されている。
【００１６】
通信ネットワーク５は、たとえばインターネット、電話回線網、無線通信網などのデータ通信可能な通信網であればよい。
なお、通信ネットワーク５は、複数の通信網をプロトコル変換装置などにより相互接続したものであってもよい。
また、通信ネットワーク５は、一部に放送網などの一方向のデータ通信が可能な通信網が含まれていてもよい。
【００１７】
第１コンテンツサーバ装置２−１、第２コンテンツサーバ装置２−２などのコンテンツサーバ装置２は、動画などのコンテンツデータを記憶する。
コンテンツサーバ装置２は、通信ネットワーク５から送信要求を受信すると、要求に係るコンテンツデータを通信ネットワーク５へ送信する。
なお、各コンテンツサーバ装置２は、たとえば放送局、新聞社、通信社、映画配給会社、ビデオ配給会社などの、各々のコンテンツデータについての配信権利を有する会社などにより各々管理運営されればよい。
【００１８】
管理サーバ装置３は、複数のキオスク端末４による情報提供サービスの管理情報を有する。
このような管理情報としては、たとえばキオスク端末４により提供可能なコンテンツのリスト（コンテンツリスト）などがある。これらの管理情報は、管理サーバ装置３においてデータ化されて記憶される。
管理サーバ装置３は、通信ネットワーク５を通じて管理情報を周期的に複数のキオスク端末４へ送信する。
また、管理サーバ装置３は、各コンテンツサーバ装置２などから提供されるコンテンツ情報に基づいて、コンテンツリストを更新する。
これにより、各キオスク端末４は、提供可能なコンテンツデータのリストを取得する。
【００１９】
半導体メモリ６には、たとえばメモリースティック（登録商標）カード、ＳＤカードなどがある。
これらの半導体メモリ６は、情報（データ）を再書込み可能である。
また、書き込まれた情報（データ）は、不揮発的に半導体メモリ６に保存される。
【００２０】
第１キオスク端末４−１、第ｎキオスク端末４−ｎなどのキオスク端末４には、ユーザへ情報を提供するために利用する半導体メモリ６を複数枚収容可能である。
そして、キオスク端末４は、周期的に、コンテンツリストから複数のコンテンツデータを選択し、コンテンツサーバ装置２から各コンテンツデータをダウンロードする。
キオスク端末４は、ダウンロードした複数のコンテンツデータを複数の半導体メモリ６に書き込む。
キオスク端末４は、この予め半導体メモリ６に書き込んだコンテンツデータを、ユーザが使用していた別の半導体メモリ６ｕと交換に、ユーザへ提供する。
【００２１】
このようにキオスク端末４は、ユーザが使用していた別の半導体メモリ６ｕと交換に、新たなコンテンツデータが書き込まれた半導体メモリ６をユーザへ提供する。
これにより、ユーザは、常に１枚の半導体メモリ６の提供により、随時新しいコンテンツデータの提供を受けることができる。ユーザからすれば、半導体メモリ６の枚数が増えたりしないので、コンテンツデータのみの提供を継続的に受けていることになる。
また、キオスク端末４には、交換により新たな半導体メモリ６が追加補充されるので、常に一定数の半導体メモリ６によりユーザへ情報を提供することが可能になる。
【００２２】
また、キオスク端末４は、周期的なコンテンツデータの更新処理により、複数の動画などのコンテンツデータを複数の半導体メモリ６に書き込む。
このため、通常は、ユーザがコンテンツデータの提供を受けるためにキオスク端末４を操作するときには、予め所望のコンテンツデータが半導体メモリ６に書き込まれた状態となっている。
ユーザは、キオスク端末４において待つことなく、所望のコンテンツデータの提供を受けることが可能である。
【００２３】
なお、複数のキオスク端末４は、たとえば駅、デパートなどの商業施設、高速道路のサービスエリア、空港、書店、レコード店、ビデオ店、喫茶店などの店舗、店先に設置されればよい。
【００２４】
［キオスク端末４の構成と制御］
図２は、図１のキオスク端末４の外観の一例の説明図である。
図２のキオスク端末４は、略箱型のハウジング１１を有する。
ハウジング１１の前面上部には、コンテンツを選択するための表示部１４と操作部１５とが配置される。
ハウジング１１の前面下部には、半導体メモリ６を個別に収容する複数の収容部１２が二列に配置されている。
各収容部１２は、蓋を有する。この蓋を開けることにより、ユーザは、収容部１２から半導体メモリ６を取り出したり、使用していた半導体メモリ６を収容部１２に入れることができる。
複数の半導体メモリ６は、個別に出し入れ可能になっている。
【００２５】
図３は、図２のキオスク端末４に内蔵される電子回路の説明図である。
図３のキオスク端末４の電子回路は、通信部（ＣＯＭ）１３、表示部（ＤＩＳＰ）１４、操作部（ＫＥＹ）１５、タイマ（ＴＭＲ）１６を有する。また、電子回路は、ＣＰＵ（Central Processing Unit）１７、メモリ（ＭＥＭ）１８、入出力部（Ｉ／Ｏ）１９、およびこれらを接続するシステムバス２０を有する。
入出力部１９には、複数のリーダライタ２１が接続される。
【００２６】
通信部１３は、ネットワークカードなどである。通信部１３は、通信ネットワーク５に接続される。
通信部１３は、ＣＰＵ１７の制御の下、通信ネットワーク５に対応する所定の通信プロトコルにより通信データを送受する。通信プロトコルには、ＴＣＰ／ＩＰプロトコルなどがある。
なお、通信部１３は、通信ネットワーク５との間で無線通信により通信データを送受してもよい。
これにより、通信部１３は、管理サーバ装置３からコンテンツデータのリストを受信し、コンテンツサーバ装置２からコンテンツデータを受信する。
通信部１３は、受信した通信データをＣＰＵ１７へ出力する。
【００２７】
表示部１４は、たとえば液晶ディスプレイ、有機ＥＬディスプレイなどである。
表示部１４は、ＣＰＵ１７の制御の下、キオスク端末４において提供可能なコンテンツを表示する。
表示部１４は、たとえばキオスク端末４が半導体メモリ６に予め記録したコンテンツのリストを表示する。
表示部１４は、管理サーバから受信したコンテンツリストを表示してもよい。
【００２８】
操作部１５は、ユーザにより操作される複数の操作キーを有する。
操作キーは、たとえばテンキー、決定キー、方向キーである。
操作部１５は、ユーザにより操作された操作キーに対応する入力信号をＣＰＵ１７へ出力する。
【００２９】
タイマ１６は、時刻、経過時間などの時間を計測する。
タイマ１６は、ＣＰＵ１７の制御の下、計測した時間情報をＣＰＵ１７へ出力する。
【００３０】
リーダライタ２１には、半導体メモリ６が取外し可能に挿入される。
リーダライタ２１は、入出力部１９に接続される。
入出力部１９は、システムバス２０に接続されたＣＰＵ１７と複数のリーダライタ２１との間のデータ授受を実現する入出力ポートとして機能する。
リーダライタ２１は、ＣＰＵ１７の制御の下、半導体メモリ６にデータを書き込む。
リーダライタ２１は、半導体メモリ６からデータを読み出し、ＣＰＵ１７へ出力する。
リーダライタ２１は、半導体メモリ６に記憶されているデータを消去する。
【００３１】
メモリ１８は、たとえばハードディスクドライブ、半導体メモリ６などである。
メモリ１８は、キオスク端末４の動作を制御するブログラム、そのプログラムの実行に必要となる各種のデータを記憶する。たとえばコンテンツリスト、メディアリストなどである。
メモリ１８は、通信ネットワーク５からダウンロードしたコンテンツデータを記憶する。
【００３２】
ＣＰＵ１７は、メモリ１８からプログラムを読み込んで実行する。
これにより、ＣＰＵ１７に、制御部２２が実現される。
【００３３】
制御部２２は、システムバス２０に接続された各部の動作を制御し、キオスク端末４を制御する。
たとえば、制御部２２は、キオスク端末４に挿入されている複数の半導体メモリ６のコンテンツデータを周期的に更新する。
また、制御部２２は、ユーザにより新たなコンテンツデータの提供が要求された場合、当該ユーザが使用していた半導体メモリ６と交換に提供する処理を実行する。
【００３４】
図４は、コンテンツデータの更新処理の一例のフローチャートである。
制御部２２は、図４のコンテンツデータの更新処理を、たとえば数時間毎に定期的に実行する。
この更新周期は、１日に１回であってもよいが、好適には、朝、昼、夕方、夜、深夜などの１日を複数の時間帯に分けた各時間帯毎に実行するとよい。
これにより、駅などの利用者の変化に応じて最適なコンテンツデータを提供することが可能になる。
【００３５】
図４において、制御部２２は、まず、キオスク端末４に収容されている半導体メモリ６の確認処理を実行する（ステップＳＴ１）。
この確認処理により、制御部２２は、複数のリーダライタ２１にアクセスし、キオスク端末４に収容されている半導体メモリ６の枚数、利用可能な半導体メモリ６の枚数などを把握する。
【００３６】
次に、制御部２２は、メディアリストを生成する（ステップＳＴ２）。
メディアリストは、メモリ１８に記憶される。
メディアリストには、利用可能な半導体メモリ６が登録される。
メディアリストには、各半導体メモリ６の情報として、たとえば各々に固有の識別情報、各々に記録されているコンテンツデータの情報が登録される。
制御部２２は、このメディアリストに基づいて、ユーザの提供要求時に即座に提供可能な半導体メモリ６を判断することができる。
【００３７】
次に、制御部２２は、ダウンロード可能なコンテンツデータのリストであるコンテンツリストを取得する（ステップＳＴ３）。
コンテンツリストが予めメモリ１８に登録されている場合には、メモリ１８からダウンロード可能リストを読み込む。
メモリ１８に登録されていない場合、制御部２２は、リクエストを通信部１３へ出力する。通信部１３は、そのリクエストを通信ネットワーク５を介して管理サーバ装置３へ送信する。また、通信部１３は、管理サーバ装置３から最新のコンテンツリストを受信する。コンテンツリストは、メモリ１８に保存される。
これにより、制御部２２は、最新のコンテンツリストを取得できる。
【００３８】
次に、制御部２２は、コンテンツリストの中から、ダウンロードするデータを選択する（ステップＳＴ４）。
たとえば、制御部２２は、キオスク端末４の設置地域、時間帯、顧客情報、および販売状況などに基づいて利用者層を判断し、その利用者層に利用されると予想されるデータを選択する。
また、制御部２２は、メディアリストに登録されている半導体メモリ６の枚数と同数のデータを選択する。
【００３９】
次に、制御部２２は、ダウンロード処理を実行する（ステップＳＴ５）。
制御部２２は、選択した複数のコンテンツデータの送信要求を通信部１３へ出力する。
通信部１３は、その送信要求を、コンテンツの提供元のコンテンツサーバ装置２へ送信する。
通信部１３は、コンテンツサーバ装置２からの要求に係るコンテンツデータを受信する。
コンテンツデータは、メモリ１８に保存される。
【００４０】
なお、制御部２２は、ダウンロード処理に先立って、ダウンロードしようとしているコンテンツデータが既にメディアリストに登録されているか否かを判断してもよい。
そして、ダウンロードしようとしているコンテンツデータが既にメディアリストに登録されている場合、制御部２２は、通信部１３へコンテンツデータの送信要求を出力する替わりに、以下の処理を実行すればよい。
制御部２２は、メディアリストに基づいて、選択したコンテンツデータを記憶する半導体メモリ６が挿入されているリーダライタ２１を選択する。
制御部２２は、入出力部１９へコンテンツデータの読出し要求を出力する。
制御部２２は、半導体メモリ６から読出したコンテンツデータをメモリ１８に保存する。
これにより、リーダライタ２１からのデータ読出し速度は通信速度より高速であるため、コンテンツテータのダウンロード時間を短縮できる。
【００４１】
次に、制御部２２は、半導体メモリ６のデータの更新処理を開始する。
制御部２２は、半導体メモリ６毎にデータを更新する。
このため、制御部２２は、まず、１個の半導体メモリ６を選択し、ダウンロードしたコンテンツデータを書き込む（ステップＳＴ６）。
また、制御部２２は、半導体メモリ６に既存のコンテンツデータが記憶されている場合、その既存のコンテンツデータを削除する。
【００４２】
次に、制御部２２は、メディアリストの当該半導体メモリ６の情報を更新する（ステップＳＴ７）。
具体的には、メディアリストに登録されている当該半導体メモリ６のコンテンツデータを更新したコンテンツデータの情報に更新する。
【００４３】
１つの半導体メモリ６の更新処理が完了すると、制御部２２は、更新処理が完了したか否かを判断する（ステップＳＴ８）。
制御部２２は、たとえばキオスク端末４に収容されているすべての半導体メモリ６に選択したすべてのコンテンツデータが格納されているか否かに基づいて、更新処理の完了を判断する。
【００４４】
未処理のコンテンツデータが残っている場合、制御部２２は、半導体メモリ６のデータの更新処理を継続する。
制御部２２は、次の半導体メモリ６を選択し、当該半導体メモリ６のコンテンツデータをダウンロードした次のコンテンツデータにより更新する（ステップＳＴ６、ＳＴ７）。
【００４５】
以上の処理を繰り返し、ダウンロードしたすべてのコンテンツデータが半導体メモリ６に記憶されると、制御部２２は、半導体メモリ６の更新処理が完了したと判断する（ステップＳＴ８）。
これにより、制御部２２は、図４のコンテンツデータの更新処理を終了する。
【００４６】
なお、制御部２２は、図４のコンテンツデータの更新処理中に、ユーザ操作による割り込み処理を受け付ける。
このような割り込みがあった場合、制御部２２は、図４のコンテンツデータの更新処理を中断する。
そして、図４のコンテンツデータの更新処理では、複数の半導体メモリ６のコンテンツデータを１枚ずつ順番に更新し、かつ、その更新毎にメディアリストを更新している。
このため、たとえば半導体メモリ６の更新処理中に割り込みが発生したとしても、その更新途中の状態で複数の半導体メモリ６に記憶されたコンテンツデータにより情報を提供することができる。
また、制御部２２は、ユーザの購入処理後に、図４のコンテンツデータの更新処理を中断時点から再開する。
これにより、所望のコンテンツデータの提供が可能となる。
【００４７】
図５は、コンテンツ販売処理の一例のフローチャートである。
制御部２２は、たとえばユーザ操作に基づく操作部１５からの割り込みがあると、図５のコンテンツ販売処理を実行する。
【００４８】
図５において、制御部２２は、まず、利用可能リストを表示する（ステップＳＴ１１）。
制御部２２は、メモリ１８からメディアリストを読み込んで、表示部１４へ出力する。
これにより、表示部１４には、キオスク端末４により即座に提供可能なコンテンツデータのリストが表示される。
【００４９】
次に、操作部１５からユーザ操作に基づく信号が入力されると、制御部２２は、その入力信号が表示中のコンテンツの選択であるか否かを判断する（ステップＳＴ１２）。
そして、たとえば表示切替である場合、制御部２２は、メモリ１８からコンテンツリストを読み込み、表示部１４に表示させる（ステップＳＴ１１）。
【００５０】
また、操作部１５からの入力信号が表示中のコンテンツの選択である場合、制御部２２は、ユーザが選択したコンテンツデータの提供処理を実行する。
このコンテンツデータの提供処理において、制御部２２は、まず、ユーザが使用していた半導体メモリ６がキオスク端末４に挿入されたか否かを判断する（ステップＳＴ１３）。
ユーザが使用していた半導体メモリ６は、キオスク端末４の空き取出し口に入れられる。
これにより、新たな半導体メモリ６がリーダライタ２１に接続される。
【００５１】
新たな半導体メモリ６が検出されると、制御部２２は、ユーザが選択したコンテンツデータが半導体メモリ６に予め書き込んであるか否かを判断する（ステップＳＴ１４）。
たとえばユーザがメディアリストに基づいて選択している場合、制御部２２は、ユーザ選択コンテンツが半導体メモリ６に予め書き込んであると判断する。
また、ユーザがコンテンツリストに基づいて選択している場合、制御部２２は、ユーザ選択コンテンツが半導体メモリ６に予め書き込んでいないと判断する。
【００５２】
ユーザ選択コンテンツが半導体メモリ６に予め書き込んであると判断すると、制御部２２は、イジェクト処理を即座に実行する（ステップＳＴ１５）。
これにより、ユーザは、所望のコンテンツデータが書き込まれた半導体メモリ６を即座に受け取ることができる。
次に、制御部２２は、メディアリストから、イジェクト処理した半導体メモリ６を削除する（ステップＳＴ１６）。
【００５３】
また、ユーザ選択コンテンツが半導体メモリ６に予め書き込んでいない場合、制御部２２は、そのユーザ選択コンテンツを、新たに挿入された半導体メモリ６（すなわち、ユーザが使用していた半導体メモリ６）へ書き込む（ステップＳＴ１７）。
この際、メモリ１８に当該コンテンツデータが無い場合、制御部２２は、そのコンテンツデータをダウンロードし、半導体メモリ６に書き込む。
その後、制御部２２は、イジェクト処理を実行する（ステップＳＴ１５）。
これにより、ユーザは、所望のコンテンツデータが書き込まれた半導体メモリ６は、取り出し可能となる。
ユーザは、所望のコンテンツデータが書き込まれた半導体メモリ６を受け取ることができる。
次に、制御部２２は、メディアリストから、イジェクト処理した半導体メモリ６を削除する（ステップＳＴ１６）。
【００５４】
［キオスク端末４による交換による販売処理の説明］
図６は、図２のキオスク端末４における販売処理の模式的な説明図である。
図６の説明図には、キオスク端末４とユーザとが図示されている。
また、図６において、時間は、上から下に経過している。
【００５５】
ユーザ購入前に、キオスク端末４には、４枚の半導体メモリ６が格納されている。
４枚の半導体メモリ６の各々には、タイトルＡ、タイトルＢが格納されている。
【００５６】
このような状態で、ユーザがタイトルＡの購入を選択し（ステップＳＴ２１）、それまで使用していた別の半導体メモリ（User Media）６ｕをキオスク端末４に挿入する（ステップＳＴ２２）。
これに応じて、キオスク端末４は、タイトルＡが予め記録された半導体メモリ（Media 1）６をユーザへ提供する（ステップＳＴ２３）。
【００５７】
これにより、ユーザには、タイトルＡのコンテンツデータが提供される。
また、ユーザが所持する半導体メモリ６は、別の半導体メモリ（User Media）６ｕから半導体メモリ（Media 1）６に変化しているものの、１枚のままである。
よって、実質的に、キオスク端末４は、ユーザに対してタイトルＡのコンテンツデータのみを提供したことになる。
また、キオスク端末４では、新たに収容した別の半導体メモリ（User Media）６ｕに、販売したタイトルＡを書き込む。
これにより、別の半導体メモリ（User Media）６ｕは、再利用される。
【００５８】
［キオスク端末４のその他の制御］
次に、上述した以外のキオスク端末４の動作を説明する。
図７は、メディア交換後のデータ更新処理の一例のフローチャートである。
制御部２２は、周期的にまたはユーザ購入処理後に、図７のデータ更新処理を実行する。
【００５９】
図７において、制御部２２は、まず、新規メディアの有無を確認する（ステップＳＴ３１）。
制御部２２は、たとえば、キオスク端末４に収容されている半導体メモリ６の確認処理を実行する。
また、制御部２２は、メモリ１８からメディアリストを読み込み、メディアリストに登録されていない半導体メモリ６の有無を確認する。
【００６０】
次に、制御部２２は、当該新規の半導体メモリ６に記憶させるコンテンツデータを選択する（ステップＳＴ３２）。
制御部２２は、たとえばメモリ１８に記憶されているダウンロードされた複数のコンテンツデータのうち、メディアリストに登録されていないコンテンツデータを選択する。
【００６１】
次に、制御部２２は、選択したコンテンツデータを、新規の半導体メモリ６に書き込む（ステップＳＴ３３）。
その後、制御部２２は、メディアリストを更新し、新たにコンテンツデータを書き込んだ半導体メモリ６の情報を登録する（ステップＳＴ３４）。
【００６２】
図８は、予約要求受信時のデータ更新処理の一例のフローチャートである。
図８において、制御部２２は、まず、予約情報を受信したか否かを判断する（ステップＳＴ４１）。
制御部２２は、たとえば通信部１３が図１の基地局８を経由してユーザ端末からコンテンツデータの予約要求を受信すると、予約情報を受信したと判断する。
【００６３】
次に、制御部２２は、予約要求に係るコンテンツデータが既に書き込み済みであるか否かを判断する（ステップＳＴ４２）。
制御部２２は、たとえばメディアリストに、予約要求に係るコンテンツデータが含まれているか否かに基づいて判断する。
【００６４】
予約要求に係るコンテンツデータが既に書き込み済みでない場合、制御部２２は、当該コンテンツデータのダウンロード処理を開始する（ステップＳＴ４３）。
また、制御部２２は、複数の半導体メモリ６から１つを選択し（ステップＳＴ４４）、ダウンロードしたコンテンツデータを書き込む（ステップＳＴ４５）。
これにより、半導体メモリ６に予約要求に係るコンテンツデータが格納される。
【００６５】
その後、制御部２２は、予約設定を実行する（ステップＳＴ４６）。
具体的には、制御部２２は、たとえばメディアリストから当該半導体メモリ６の情報を削除する（ステップＳＴ４７）。
または、制御部２２は、たとえばメディアリストの当該半導体メモリ６の情報に、予約番号を追加する。予約番号が追加された半導体メモリ６は、表示部１４に表示されないように制御される。
これにより、予約をしたユーザ以外は、当該半導体メモリ６によるコンテンツデータの提供を受けることができなくなる。
【００６６】
また、予約をしたユーザは、図５の購入処理のステップＳＴ１２において、予約したユーザを特定するための予約番号などを入力する。
制御部２２は、入力された予約番号を確認すると、ユーザが使用していた半導体メモリ６の挿入を検出した後、イジェクト処理を実行する。
これにより、ユーザは、ユーザ端末を利用して予約したコンテンツデータを、キオスク端末４において即座に受け取ることができる。
【００６７】
次に、図４のステップＳＴ４におけるダウンロードデータの選択処理について詳しく説明する。
【００６８】
上述した説明では、制御部２２は、キオスク端末４の設置地域、時間帯、顧客情報、および販売状況などに基づいて利用者層を判断し、その利用者層に利用されると予想されるデータをコンテンツリストから選択している。
このような選択を制御部２２が実行するためには、コンテンツリストには、たとえば各コンテンツデータの利用者層、年齢層、内容、視聴制限などの情報が格納されていればよい。
また、メモリ１８には、キオスク端末４の設置場所に関する情報が記録されていればよい。
【００６９】
そして、具体的には、たとえば秋葉原などの特定の嗜好の人が集まる地域に設置されている場合、制御部２２は、当該地域の利用者の特殊性を考慮してデータを選択する。
また、制御部２２は、当該地域の利用者層の変化を時間帯などで予測し、更新するデータを選択する。
【００７０】
また、郊外の住宅地の駅などに接地されている場合、制御部２２は、細かい時間帯毎にデータを更新するとよい。
たとえば制御部２２は、朝には朝刊やニュースのコンテンツデータを選択し、昼には、主婦向けのコンテンツデータを選択し、夕方には夕刊や学生向けのコンテンツデータを選択する。
また、制御部２２は、平日には経済情報を優先的に選択し、週末はレジャー情報を優先的に選択する。
【００７１】
この他にも例えば、制御部２２は、映画や音楽などのコンテンツデータを優先する場合、ヒットチャートのトップテン情報などに基づいて、これらを優先的に選択してもよい。
また、制御部２２は、所定の提携会社から薦められたコンテンツデータを優先的に選択してもよい。
このような選択を制御部２２が実行するためには、コンテンツリストには、トップテン情報、推薦情報が格納されていればよい。
【００７２】
また、制御部２２は、広告、宣伝を選択してもよい。
制御部２２は、広告、宣伝をすべての半導体メモリ６に記録してもよい。
この場合、制御部２２は、例えば記録するコンテンツデータに関連する広告を選択するとよい。
このような選択を制御部２２が実行するためには、コンテンツリストには、たとえば各コンテンツデータと関連づけて広告、宣伝のための情報の取得先データ（たとえばＵＲＬなど）が格納されていればよい。
この場合、制御部２２は、コンテンツデータを取得するとともに、広告データを取得する。
【００７３】
以上のように、第１実施形態では、ユーザが利用可能なコンテンツデータが半導体メモリ６に予め書き込まれて提供される。
ユーザは、ユーザ端末を利用して予約が可能である。
このため、ユーザは、キオスク端末４においてコンテンツデータが書き込まれる時間を待つ必要がない。
ユーザは、所望のコンテンツデータを、キオスク端末４において即座に且つ確実にレンタルまたは購入することができる。
また、半導体メモリ６は、複数のユーザの間で巡回して繰り返し利用される。
【００７４】
また、第１実施形態では、予め準備されていないコンテンツデータについては、直ちにダウンロードして半導体メモリ６記録される。
よって、半導体メモリ６の不足による売り切れも発生しない。
また、半導体メモリ６の循環利用を妨げることなく、未準備のコンテンツデータについても、半導体メモリ６を使用して提供できる。
その結果、第１実施形態では、ユーザの利便性が格段に向上する。
【００７５】
また、第１実施形態では、ユーザが利用を希望するコンテンツデータが予め書き込まれた半導体メモリ６は、ユーザが使用していた別の半導体メモリ６ｕと交換にユーザへ提供される。
よって、ユーザからすれば、コンテンツデータを利用する度に、新たな半導体メモリ６を購入する必要がなくなる。
ユーザは、あたかも、自ら所持していた半導体メモリ６に、希望するコンテンツデータが即座に書き込まれたかのような状態で、希望するコンテンツデータの提供を受けることができる。
また、半導体メモリ６を交換しているので、キオスク端末４には、常に一定数の半導体メモリ６が収容された状態に維持される。
よって、キオスク端末４は、その一定数の半導体メモリ６を用いて、コンテンツデータを継続的に提供することができる。
【００７６】
また、第１実施形態では、キオスク端末４は、異なるコンテンツデータを複数の半導体メモリ６に書き込んでいる。
よって、ユーザは、利用可能な複数のコンテンツデータの中から、所望のコンテンツデータを選択することができる。ユーザに選択の機会が与えられる。
【００７７】
また、第１実施形態では、複数の半導体メモリ６に予め書き込むコンテンツデータを、時間帯、地域などに応じて更新している。
よって、第１実施形態では、半導体メモリ６が再書込み可能であることを好適に利用して、半導体メモリ６を入れ替えることなく、提供するコンテンツデータを、動的に変化させることができる。
その結果、第１実施形態では、たとえば地域毎、時間帯毎に応じた売れ筋の情報を常に提供することができる。半導体メモリ６に情報が固定化されないことを好適に利用して、少ない半導体メモリ６の枚数で、より多くのコンテンツデータを提供できる。
【００７８】
＜２．第２実施形態＞
本発明の第２実施形態は、キオスク端末４において各半導体メモリ６に予め複数の動画などのコンテンツデータ３１を書き込み、提供時に不要なコンテンツデータ３１を削除する情報提供システム１の例である。
第２実施形態の情報提供システム１の構成は、第１実施形態と同様である。
このため、第１実施形態と同じ符号を使用し、詳細な説明を省略する。
【００７９】
図９は、第２実施形態において半導体メモリ６に書き込まれるデータの構造の一例の説明図である。
図９の半導体メモリ６は、第１コンテンツデータ３１−１から第ｐコンテンツデータ３１−ｐまでの複数のコンテンツデータ３１を記憶する。
これら複数のコンテンツデータ３１は、図４のコンテンツデータ３１の更新処理において制御部２２により書き込まれる。
このように各半導体メモリ６に複数のコンテンツデータ３１を予め書き込むことにより、メディアリストに基づいて即時提供可能なコンテンツデータ３１の数を増やすことができる。
【００８０】
［キオスク端末４の構成と制御］
図１０は、第２実施形態におけるコンテンツ販売処理の一例のフローチャートである。
制御部２２は、たとえばユーザ操作に基づく操作部１５からの割り込みがあると、図１０のコンテンツ販売処理を実行する。
図１０のステップＳＴ１１からステップＳＴ１４までの一連の処理は、第１実施形態の図５の処理と同様である。
そして、この一連の処理により、ユーザが所望のコンテンツデータ３１を選択すると（ステップＳＴ１２）、制御部２２は、ユーザが使用していた半導体メモリ６がキオスク端末４に挿入されたか否かを判断する（ステップＳＴ１３）。
また、制御部２２は、メディアリストに基づいて、ユーザが選択したコンテンツデータ３１が半導体メモリ６に予め書き込んであるか否かを判断する（ステップＳＴ１４）。
【００８１】
ユーザ選択コンテンツが半導体メモリ６に予め書き込んであると判断すると、制御部２２は、当該半導体メモリ６を選択する。
また、制御部２２は、ユーザにより選択されたコンテンツデータ３１以外のコンテンツデータ３１の削除処理を実行する（ステップＳＴ５１）。
図９の半導体メモリ６であれば、たとえば第１コンテンツデータ３１−１がユーザにより選択される。
この場合、制御部２２は、第２コンテンツデータ３１−２から第ｐコンテンツデータ３１−ｐまでの複数のコンテンツデータ３１を半導体メモリ６から削除する。
【００８２】
その後、制御部２２は、イジェクト処理を実行する（ステップＳＴ１５）。
これにより、ユーザは、所望のコンテンツデータ３１が書き込まれた半導体メモリ６を即座に受け取ることができる。
なお、イジェクト処理後の処理（ステップＳＴ１６）およびユーザ選択コンテンツが半導体メモリ６に予め書き込まれていない場合の処理（ステップＳＴ１７）は、図５と同様であり、説明を省略する。
【００８３】
［キオスク端末４による交換による販売処理の説明］
図１１は、第２実施形態のキオスク端末４における販売処理の模式的な説明図である。
図１１の説明図には、キオスク端末４とユーザとが図示されている。また、図１１において、時間は、上から下に経過している。
【００８４】
ユーザ購入前に、キオスク端末４には、３枚の半導体メモリ６が格納されている。
３枚の半導体メモリ６の各々には、タイトルＡからＣの３個のコンテンツデータ３１が格納されている。
【００８５】
このような状態で、ユーザがタイトルＡの購入を選択し（ステップＳＴ６１）、それまで使用していた別の半導体メモリ（User Media）６ｕをキオスク端末４に挿入する（ステップＳＴ６２）。
これに応じて、キオスク端末４は、タイトルＡが予め記録された１枚の半導体メモリ（Media 1）６を選択し、当該半導体メモリ６からタイトルＢ，Ｃを削除する。
その後、キオスク端末４は、タイトルＢ，Ｃを削除した半導体メモリ６（Media 1）をユーザへ提供する（ステップＳＴ６３）。
【００８６】
これにより、ユーザには、タイトルＡのコンテンツデータ３１が提供される。
また、ユーザが所持する半導体メモリ６は、別の半導体メモリ（User Media）６ｕから半導体メモリ（Media 1）６に変化しているものの、１枚のままである。
よって、実質的に、キオスク端末４は、ユーザに対してタイトルＡのコンテンツデータ３１のみを提供したことになる。
また、キオスク端末４では、新たに収容した別の半導体メモリ（User Media）６ｕに、タイトルＡからＣを書き込む。
これにより、別の半導体メモリ（User Media）６ｕは、再利用される。
【００８７】
以上のように、第２実施形態では、半導体メモリ６に書き込まれた不要なコンテンツデータ３１を削除して、当該半導体メモリ６を提供している。
一般的に、半導体メモリ６の書込み時間は長いのに対し、消去時間は短い。
よって、第２実施形態では、この半導体メモリ６の特性を好適に生かして、ユーザに長い待ち時間を発生させることなく、半導体メモリ６より多い数のコンテンツデータ３１を提供できる。
【００８８】
＜３．第３実施形態＞
第３実施形態は、キオスク端末４において各半導体メモリ６に予め複数の動画などのコンテンツデータ４１を書き込み、提供時に必要なライセンスデータ４２を書き込む情報提供システム１の例である。
第３実施形態の情報提供システム１の構成は、第１実施形態と同様である。
このため、第１実施形態と同じ符号を使用し、詳細な説明を省略する。
【００８９】
図１２は、本発明の第３実施形態において半導体メモリ６に書き込まれるデータの構造の一例の説明図である。
図１２の半導体メモリ６は、第１コンテンツデータ４１−１から第ｐコンテンツデータ４１−ｐまでの複数のコンテンツデータ４１を記憶する。
また、各コンテンツデータ４１に対応する第１ライセンスデータ４２−１から第ｐライセンスデータ４２−ｐを記憶可能である。
各コンテンツデータ４１は、対応するライセンスデータ４２が書き込まれていない場合、再生可能とならない。
【００９０】
このようなコンテンツデータ４１としては、たとえばMemory StickTM Secure Video File Formatによる動画データがある。
また、コンテンツデータ４１は、EMPR（Embedded Memory with Playback and Recording Function System）のフォーマットによる動画データでもよい。
これらの規格では、著作権保護のためのライセンス管理データが、暗号化された動画データとは別のファイルとして管理される。
ライセンス管理データのサイズは、数ｋＢ程度である。
【００９１】
これら複数のコンテンツデータ４１は、図４のコンテンツデータ４１の更新処理において制御部２２により書き込まれる。
このように各半導体メモリ６に複数のコンテンツデータ４１を予め書き込むことにより、メディアリストに基づいて即時提供可能なコンテンツデータ４１の数を増やすことができる。
【００９２】
［キオスク端末４の構成と制御］
図１３は、第３実施形態におけるコンテンツ販売処理の一例のフローチャートである。
制御部２２は、たとえばユーザ操作に基づく操作部１５からの割り込みがあると、図１３のコンテンツ販売処理を実行する。
図１３のステップＳＴ１１からステップＳＴ１４までの一連の処理は、第１実施形態の図５の処理と同様である。
そして、この一連の処理により、ユーザが所望のコンテンツデータ４１を選択すると（ステップＳＴ１２）、制御部２２は、ユーザが使用していた半導体メモリ６がキオスク端末４に挿入されたか否かを判断する（ステップＳＴ１３）。
また、制御部２２は、メディアリストに基づいて、ユーザが選択したコンテンツデータ４１が半導体メモリ６に予め書き込んであるか否かを判断する（ステップＳＴ１４）。
【００９３】
ユーザ選択コンテンツが半導体メモリ６に予め書き込んであると判断すると、制御部２２は、当該半導体メモリ６を選択する。
また、制御部２２は、ユーザにより選択されたコンテンツデータ４１についてのライセンスデータ４２を当該半導体メモリ６に書き込む（ステップＳＴ７１）。
【００９４】
一般的にライセンスデータ４２のデータ量は、コンテンツデータ４１のデータ量より格段に少ない。
よって、このライセンスデータ４２の書込み処理は、直ちに終了する。
【００９５】
図１２の半導体メモリ６において、たとえば第１コンテンツデータ４１−１がユーザにより選択される。
この場合、制御部２２は、第１ライセンスデータ４２−１を半導体メモリ６に書き込む。
また、制御部２２は、第２ライセンスデータ４２−２から第ｐライセンスデータ４２−ｐまでの複数のライセンスデータ４２を書き込まない。
【００９６】
その後、制御部２２は、イジェクト処理を実行する（ステップＳＴ１５）。
これにより、ユーザは、所望のコンテンツデータ４１が書き込まれた半導体メモリ６を即座に受け取ることができる。
なお、イジェクト処理後の処理（ステップＳＴ１６）およびユーザ選択コンテンツが半導体メモリ６に予め書き込んでいない場合の処理（ステップＳＴ１７）は、図５と同様であり、説明を省略する。
ただし、ステップＳＴ１７では、ユーザが使用していた半導体メモリ６に、コンテンツデータ４１およびそのライセンスデータ４２を書き込む。
【００９７】
［キオスク端末４による交換による販売処理の説明］
図１４は、第３実施形態のキオスク端末４における販売処理の模式的な説明図である。
図１４の説明図には、キオスク端末４とユーザとが図示されている。また、図１４において、時間は、上から下に経過している。
【００９８】
ユーザ購入前に、キオスク端末４には、３枚の半導体メモリ６が格納されている。
３枚の半導体メモリ６の各々には、タイトルＡからＣの３個のコンテンツデータ４１が格納されている。
【００９９】
このような状態で、ユーザがタイトルＡの購入を選択し（ステップＳＴ８１）、それまで使用していた別の半導体メモリ（User Media）６ｕをキオスク端末４に挿入する（ステップＳＴ８２）。
これに応じて、キオスク端末４は、タイトルＡが予め記録された１枚の半導体メモリ（Media 1）６を選択し、当該半導体メモリ６にタイトルＡのライセンスデータ４２を書き込む。
これにより、当該半導体メモリ６において、タイトルＡは再生可能となる。
その後、キオスク端末４は、タイトルＡを再生可能とした半導体メモリ（Media 1）６をユーザへ提供する（ステップＳＴ８３）。
【０１００】
これにより、ユーザには、タイトルＡのコンテンツデータ４１が再生可能な状態で提供される。
また、ユーザが所持する半導体メモリ６は、別の半導体メモリ（User Media）６ｕから半導体メモリ（Media 1）６に変化しているものの、１枚のままである。
よって、実質的に、キオスク端末４は、ユーザに対してタイトルＡのコンテンツデータ４１のみを提供したことになる。
また、キオスク端末４では、新たに収容した別の半導体メモリ（User Media）６ｕに、タイトルＡからＣを書き込む。
これにより、別の半導体メモリ（User Media）６ｕは、再利用される。
【０１０１】
また、第３実施形態では、ユーザへ提供された半導体メモリ６に、再生可能でないコンテンツデータ４１（たとえばタイトルＢ，Ｃのコンテンツデータ４１）が残存している。
この場合、ユーザは、インターネットに接続された再生装置において再生する際に、残存するコンテンツデータ４１についてのライセンスを事後的に取得することで、再生することができる。コンテンツデータ４１自体をダウンロードする必要がない。
【０１０２】
以上のように、第３実施形態では、半導体メモリ６の提供時に、ライセンスデータ４２を書き込んでいる。
一般的に、ユーザが利用する動画などのコンテンツデータ４１のデータ量は多いのに対し、そのライセンスデータ４２のデータ量は少ない。
よって、第３実施形態では、このデータ量の違いを好適に利用して、ユーザに長い待ち時間を発生させることなく、半導体メモリ６より多い数の情報を提供できる。
【０１０３】
なお、上述した各実施形態の制御は、１つのキオスク端末４で利用されてもよい。
上述した各実施形態の制御は、１つのキオスク端末４において適宜切り替えて利用されてもよい。
【０１０４】
たとえば、第３実施形態のように半導体メモリ６に追加のライセンスデータ４２を必要とする余分なコンテンツデータ４１（たとえばタイトルＢ，Ｃのコンテンツデータ）が存在する場合に、制御部２２は、その一部について削除してもよい。
また、制御部２２は、余分なコンテンツデータ４１のすべてを削除してもよい。
【０１０５】
また、ユーザが複数のコンテンツを選択し、そのすべてが合致するデータが予め記録された半導体メモリ６が無い場合、制御部２２は、不足しているコンテンツデータ４１を追加書き込みしてもよい。
また、制御部２２は、提供する半導体メモリ６に記録されているコンテンツデータ４１に関連する他のコンテンツデータを追加書込みしてもよい。
また、制御部２２は、ユーザが使用していた半導体メモリ６ｕのコンテンツデータ４１を、新たに提供する半導体メモリ６ｕへコピーまたは移動してもよい。
【０１０６】
以上の実施形態は、本発明の好適な実施形態の例であるが、本発明は、これに限定されるものではなく、発明の要旨を逸脱しない範囲において種々の変形または変更が可能である。
【０１０７】
たとえば上記実施形態の情報提供システム１では、ユーザが使用していた半導体メモリ６と交換で、新たなコンテンツデータが書き込まれた半導体メモリ６を提供している。
この他にもたとえば、情報提供システム１は、ユーザが使用していた半導体メモリ６が無い場合でも、有償などにより、コンテンツデータが書き込まれた半導体メモリ６を提供してもよい。
【０１０８】
上記実施形態では、ユーザは、１個のコンテンツデータを選択している。
この他にもたとえば、ユーザは、１回の提供において、複数個のコンテンツデータを選択してもよい。
【０１０９】
上記実施形態では、ユーザが使用していた１枚の半導体メモリ６と交換で、新たなコンテンツデータが書き込まれた１枚の半導体メモリ６を提供している。
この他にもたとえば、ユーザが使用していた半導体メモリ６と、新たなコンテンツデータが書き込まれた半導体メモリ６とは、１対多、多対１、多対多の対応関係で交換されてもよい。
これにより、半導体メモリ６の容量により制限されることなく、複数のコンテンツデータを一度に提供することが可能になる。
【０１１０】
上記実施形態では、半導体メモリ６を情報提供用のメディアに利用している。
この他にもたとえば、ＣＤ−ＲＷ、ＤＶＤ−ＲＷなどの再書込み可能な光メディア、１回のみの書込みが可能な光メディアなどを、情報提供用のメディアとして利用してもよい。
【０１１１】
上記実施形態では、主に動画データなどのコンテンツデータを提供する場合について説明している。
この他にもたとえば情報提供システム１は、動画以外の静止画、楽曲などのコンテンツデータ、コンピュータに実行されるプログラムを提供してもよい。
また、情報提供システム１は、電子化された広告データ、新聞、雑誌などの定期配信される記事データ、放送番組データを提供してもよい。
また、情報提供システム１は、ＳＭＳ（Short Message Service）などのメッセージの蓄積データ、特定サイトのウェブページの更新データ、電子化された公共サービスの申込書データなどを提供してもよい。
これらの情報を一元的に提供することにより、高い利便性が得られる。
【０１１２】
上記実施形態では、通信ネットワーク５を介してダウンロードしたコンテンツデータを、半導体メモリ６に記録している。
この他にもたとえば、キオスク端末４において読取可能な記録媒体に記録されたコンテンツデータを、半導体メモリ６に記録してもよい。
【０１１３】
上記実施形態のキオスク端末４は、半導体メモリ６などのメディアを用いてコンテンツデータなどの情報を提供する情報提供装置である。
そして、キオスク端末４は、駅などの公共地域に設置されている。
この他にも例えば、情報提供装置は、電車、バスなどの移動する車両内、一般家庭などに設置されてもよい。
【符号の説明】
【０１１４】
１…情報提供システム、２…コンテンツサーバ装置（情報源装置）、４…キオスク端末（情報提供装置）、６…半導体メモリ（記録媒体）、１２…収容部、１３…通信部（情報取得部、通信部）、１５…操作部、２２…制御部（書込部、制御部）、３１，４１…コンテンツデータ（情報）、４２…ラインセンス情報。
【図１】
2012018636.tif 000003
【図２】
2012018636.tif 000004
【図３】
2012018636.tif 000005
【図４】
2012018636.tif 000006
【図５】
2012018636.tif 000007
【図６】
2012018636.tif 000008
【図７】
2012018636.tif 000009
【図８】
2012018636.tif 000010
【図９】
2012018636.tif 000011
【図１０】
2012018636.tif 000012
【図１１】
2012018636.tif 000013
【図１２】
2012018636.tif 000014
【図１３】
2012018636.tif 000015
【図１４】
2012018636.tif 000016